(57)【要約】【課題】刈り込み後に溜まる枝葉を溢れにくくして捕集性を高くする。【解決手段】チップレシーバ１１は、生垣バリカン１の前方に突設された刃部３に取り付けられる板状部１２と、その板状部１２の一方の側縁に連結される皿状の受け部１３とからなり、受け部１３は、底部が板状部１２よりも深くなる深底状に形成されている。【選択図】図１
2008307058.tif 000002
【特許請求の範囲】
【請求項１】
生垣バリカンの前方に突設された刃部に取り付けられる板状部と、その板状部の一方の側縁に連結される皿状の受け部とからなる生垣バリカン用チップレシーバであって、
前記受け部を、底部が前記板状部よりも深くなる深底状に形成したことを特徴とする生垣バリカン用チップレシーバ。
【請求項２】
前記受け部の外周に、前記板状部の前後端から連続する壁を立ち上げ形成したことを特徴とする請求項１に記載の生垣バリカン用チップレシーバ。
【請求項３】
前記板状部は、前記刃部に対して着脱可能に取り付けられることを特徴とする請求項１又は２に記載の生垣バリカン用チップレシーバ。
【請求項４】
前記板状部に、前記刃部に設けられた固定ネジとの干渉を回避するための逃げ孔を設けたことを特徴とする請求項１乃至３の何れかに記載の生垣バリカン用チップレシーバ。
【請求項５】
前記受け部の下面を、前記刃部に装着した状態で前記刃部の下面よりも低くならないように設定したことを特徴とする請求項１乃至４の何れかに記載の生垣バリカン用チップレシーバ。
【請求項６】
本体の前方に刃部を突設してなる生垣バリカンであって、
前記刃部に、請求項１乃至５の何れかに記載の生垣バリカン用チップレシーバを取り付けたことを特徴とする生垣バリカン。
【発明の詳細な説明】
【技術分野】
【０００１】
本発明は、刈り込んだ枝葉の捕集のために生垣バリカンの刃部に取り付けられる生垣バリカン用チップレシーバと、生垣バリカンとに関する。
【背景技術】
【０００２】
生垣バリカンは、本体の前方に、固定板と、その固定板の下部で前後へ往復動する一対の可動刃とからなる刃部を突設して、可動刃の互いに逆の往復動によって枝葉等の刈り込みが可能となっている。また、生垣バリカンで生垣の上面等を刈り込む際、刈り取った枝葉を直後に受け止めて集めることができるように、固定板に沿ってチップレシーバを装着することがよく行われている（例えば特許文献１参照）。
【０００３】
【特許文献１】特開２００６−１４６６１号公報
【発明の開示】
【発明が解決しようとする課題】
【０００４】
上記従来のチップレシーバは、生垣バリカンの刃部に装着される固定部と、その固定部に延設される幅広の捕捉部とからなる合成樹脂製となっている。
【０００５】
そこで、本発明は、刈り込み後に溜まる枝葉が溢れにくく、捕集性の高い生垣バリカン用チップレシーバ及び生垣バリカンを提供することを目的としたものである。
【課題を解決するための手段】
【０００６】
上記目的を達成するために、請求項１に記載の発明は、生垣バリカンの前方に突設された刃部に取り付けられる板状部と、その板状部の一方の側縁に連結される皿状の受け部とからなる生垣バリカン用チップレシーバであって、受け部を、底部が板状部よりも深くなる深底状に形成したことを特徴とするものである。
請求項２に記載の発明は、請求項１の構成において、受け部の外周に、板状部の前後端から連続する壁を立ち上げ形成したことを特徴とするものである。
請求項３に記載の発明は、請求項１又は２の構成において、板状部は、刃部に対して着脱可能に取り付けられることを特徴とするものである。
請求項４に記載の発明は、請求項１乃至３の何れかの構成において、板状部に、刃部に設けられた固定ネジとの干渉を回避するための逃げ孔を設けたことを特徴とするものである。
請求項５に記載の発明は、請求項１乃至４の何れかの構成において、受け部の下面を、刃部に装着した状態で刃部の下面よりも低くならないように設定したことを特徴とするものである。
上記目的を達成するために、請求項６に記載の発明は、本体の前方に刃部を突設してなる生垣バリカンであって、刃部に、請求項１乃至５の何れかに記載の生垣バリカン用チップレシーバを取り付けたことを特徴とするものである。
【発明の効果】
【０００７】
本発明によれば、刈り込み後に溜まる枝葉が溢れにくくなって捕集性が高まる。特に、受け部の下面を、刃部に装着した状態で刃部の下面よりも低くならないように設定すれば、刈り込みの際に受け部が邪魔にならない。
【発明を実施するための最良の形態】
【０００８】
以下、本発明の実施の形態を図面に基づいて説明する。
図１は、本発明の生垣バリカン用チップレシーバ（以下単に「チップレシーバ」という。）を取り付けた生垣バリカン１の斜視図で、生垣バリカン１は、図示しないモータと、モータの回転を直線運動に変換するクランク機構とを内蔵した本体２の前方（図１の左側）に、クランク機構で動作する刃部３を突設してなる。この刃部３は、上下に位置する帯板状の固定板４，４と、その固定板４，４の間にあって左右の側縁に刃６，６・・を千鳥状に形成した二枚の可動刃５，５とからなり、クランク機構によって可動刃５，５が互いに逆方向へ前後移動することで、刃６による枝葉の刈り込みが可能となっている。７はトリガースイッチ８を設けた主ハンドル、９は本体２から斜め前方へ突設された補助ハンドル、１０はプロテクタである。
【０００９】
チップレシーバ１１は、図２，３にも示すように、生垣バリカン１の刃部３における上側の固定板４の上面に取り付けられる板状部１２と、その板状部１２の一方の側縁に連設される皿状の受け部１３とから形成されている。受け部１３は、底部が板状部１２よりも低くなる深底状に形成されて、刈り込み後に溜まる枝葉を溢れにくくして捕集性を高めている。また、受け部１３の外周には、板状部１２の前後端から連続する壁１４が立ち上げ形成されている。但し、受け部１３の下面は、刈り込みの邪魔にならないように、チップレシーバ１１を刃部３に装着した際に刃部３の下面よりも低くならないように設定されている。
【００１０】
そして、板状部１２には、刃部３の固定ネジ１５，１５との干渉を回避するための逃げ孔１６，１６・・が、前後方向に沿って複数並設されており、逃げ孔１６，１６の間で前後二カ所には、板状部１２における受け部１３の連設側と逆の側縁から板状部１２と直交状に一対の溝１７，１７が形成され、各溝１７内にクリップ１８が夫々設けられている。
このクリップ１８は、中心板１９の左右に弾性片２０，２０を介して一対の係止体２１，２１を連結した合成樹脂の成形品で、溝１７の前後縁を繋いで上方へ突出する断面逆Ｕ字状のホルダ２２内に収容され、ホルダ２２の内面中心で下向きに突設されたボス２３に、中心板１９がネジ２４で固定されることで、係止体２１，２１をホルダ２２の左右に露出させた状態で保持されている。
【００１１】
また、各クリップ１８における係止体２１，２１の互いの対向面の下端には、前後方向に沿った係止爪２５，２５が突設されて、生垣バリカン１の上側の固定板４の左右の側面へ全長に亘って凹設された係止溝２６，２６に係止可能となっている。
さらに、クリップ１８は、係止爪２５が係止溝２６に係止していない状態では、弾性片２０，２０により、係止爪２５，２５の間隔が固定板４の幅よりもやや小さくなる狭小位置に保持されており、係止体２１，２１の上端を指でつまんで互いの近接方向へ移動させると、弾性片２０の付勢に抗して係止体２１，２１の下端が拡開するものとなる。但し、各係止体２１の下端面には、係止爪２５の先端側へ行くに従って上昇する面取部２７が夫々形成されて、固定板４との当接に伴い、面取部２７の案内で係止体２１，２１の下端間が拡開可能となっている。なお、ここでは固定板４の角部にも係止体２１，２１の拡開を案内する面取部２８，２８が形成されている。
【００１２】
そして、チップレシーバ１１における受け部１３の前端には、固定台２９が設けられ、この固定台２９上に、水準器３０，３１が夫々設けられている。この水準器は、周知の気泡式棒形のもので、３０が固定台２９の上面へ横向きに設置されて水平確認用、３１が縦向きに立設されて鉛直確認用となっている。
【００１３】
以上の如く構成されたチップレシーバ１１を生垣バリカン１へ取り付ける際は、前後のクリップ１８の係止体２１，２１の下端を夫々固定板４の左右の側縁にあてがった状態で下方へ押し込むと、面取部２７，２８の案内によって係止体２１，２１の下端間が拡開して係止爪２５，２５間への固定板４の進入を許容する。そして、各係止爪２５が係止溝２６に達すると、係止爪２５が互いの対向側に付勢されて図３のように係止溝２６に係止する。よって、前後のクリップ１８，１８で固定板４を挟持する格好でチップレシーバ１１の取付がなされる。
一方、チップレシーバ１１を取り外す際は、各クリップ１８の係止体２１，２１の上端を左右から指でつまむと、下端間が拡開して係止爪２５が係止溝２６から外れるため、チップレシーバ１１の取り外しが可能となる。
【００１４】
こうしてチップレシーバ１１を取り付けた生垣バリカン１で例えば生垣の上面を水平に刈り込む場合、作業者は本体２の主ハンドル７と補助ハンドル９とを把持して本体２を水平に保持した状態で左方向へ水平移動させながら刃部３で刈り込みを行うことになる。このとき、作業者は水準器３０によってチップレシーバ１１の水平姿勢を確認することができるため、これと略同位置で一体の刃部３の水平姿勢も同時に確認できることになる。
一方、生垣の側面を鉛直に刈り込む場合は、作業者は本体２を横向きに倒した状態で上方へ移動させながら刃部３で刈り込みを行うことになるが、このときは水準器３１によってチップレシーバ１１の鉛直姿勢を確認することができるため、これと一体の刃部３の鉛直姿勢も同時に確認できる。
【００１５】
このように上記形態のチップレシーバ１１及び生垣バリカン１によれば、受け部１３を、底部が板状部１２よりも深くなる深底状に形成したことで、刈り込み後に溜まる枝葉が溢れにくくなって捕集性が高まる。
特に、受け部１３の下面を、刃部３に装着した状態で刃部３の下面よりも低くならないように設定したことで、刈り込みの際に受け部１３が邪魔にならない。
【００１６】
なお、水準器は、上記形態のようにチップレシーバに設けるものに限らず、生垣バリカン１の刃部３に設けることもできる。図４はその一例を示すもので、ここでは、上側の固定板４の上面前方に、チップレシーバ１１を取り付けた状態で逃げ部１６に嵌合する突部３２を突設し、その突部３２に水準器３０，３１を設けている。
この場合も、作業者が本体２を水平移動させながら生垣の上面等を刃部３で刈り込みを行う際に、水準器３０によって刃部３の水平姿勢を確認することができる。
一方、生垣の側面を鉛直に刈り込む場合は、作業者は本体２を横向きに倒した状態で上下に移動させながら刃部３の水準器３１によって刃部３の鉛直姿勢を確認することができる。これはチップレシーバ１１を取り外した状態でも同じである。
【００１７】
このように、図４に示す生垣バリカン１においても、固定板４の上面に水準器３０，３１が設けられるため、実際の刃部３の姿勢と同時に水準器３０，３１による水平及び鉛直が確認できる。よって、刃部３の水平及び鉛直姿勢を正確に維持でき、作業効率や刈り込みの仕上がりも良好となって使い勝手に優れる。
【図面の簡単な説明】
【００１８】
【図１】チップレシーバを取り付けた生垣バリカンの斜視図である。
【図２】チップレシーバの分解斜視図である。
【図３】チップレシーバの取付構造を示す断面図である。
【図４】変更例の生垣バリカンの斜視図である。
【符号の説明】
【００１９】
１・・生垣バリカン、２・・本体、３・・刃部、４・・固定板、１１・・チップレシーバ、１２・・板状部、１３・・受け部、２９・・固定台、３０，３１・・水準器、３２・・突部。
【図１】
2008307058.tif 000003
【図２】
2008307058.tif 000004
【図３】
2008307058.tif 000005
【図４】
2008307058.tif 000006